(57)【要約】      （修正有）【課題】壁に寄りかかる必要がなく、壁に寄りかかるときの不安定さを回避でき、角度調整が可能なポータブルトイレを提供する。【解決手段】調整可能なポータブルトイレは、サポート１、トイレボード２、ヒップサポートボード３を含む。トイレボードとヒップサポートボードは一体的に接続される。サポートには、フロントサポート１１とリアサポート１２が含まれる。トイレボードの前端は、回転可能にフロントサポートの先端に接続される。ヒップサポートボードの後ろに１つ以上のヒップサポート３１が設置される。リアサポートには、完全に同じ２つの支柱が含まれる。２つの支柱の間に、少なくとも第１クロスバー１２１が設置される。第１クロスバーには、異なる長さの２つ以上のクロスバーサポート１２１１、１２１２が設置される。クロスバーサポートは回転可能に第１クロスバーに接続される。複数のクロスバーサポートは、様々な調整角度を提供する。【選択図】図１
0003231270.tif 000002
【実用新案登録請求の範囲】
【請求項１】
サポート（１）、トイレボード（２）、ヒップサポートボード（３）を含むことを特徴とする調整可能なポータブルトイレであって、
前記トイレボード（２）と前記ヒップサポートボード（３）は一体的に接続され、
前記サポート（１）には、フロントサポート（１１）とリアサポート（１２）が含まれ、
前記トイレボード（２）の前端は、前記回転可能にフロントサポート（１１）の先端に接続され、
前記ヒップサポートボード（３）の後ろに１つ以上のヒップサポート（３１）が設置され、
前記リアサポート（１２）には、完全に同じ２つの支柱が含まれ、前記２つの支柱の間に、少なくとも第１クロスバー（１２１）が設置され、
前記第１クロスバー（１２１）には、異なる長さの２つ以上のクロスバーサポートが設置され、
前記クロスバーサポートは回転可能に前記第１クロスバー（１２１）に接続され、
前記ヒップサポートボード（３）は前記リアサポート（１２）に押し付けられ、または、上向き引張力の作用下で、前記リアサポート（１２）を離れた後、動作状態のクロスバーサポートに押し付けられ、
動作状態の前記クロスバーサポートは、前記第１クロスバー（１２１）に回転した前記クロスバーサポートである、
調整可能なポータブルトイレ。
【請求項２】
前記ヒップサポートボード（３）と前記トイレボード（２）の夾角範囲が８５−９５度であることを特徴とする、請求項１に記載の調整可能なポータブルトイレ。
【請求項３】
前記ヒップサポート（３１）が弧状のヒップサポート本体（３１１）と補強リブ（３１２）を含み、そのうち、前記補強リブ（３１２）が前記ヒップサポート本体（３１１）と前記ヒップサポートボード（３）に接続することを特徴とする、請求項１に記載の調整可能なポータブルトイレ。
【請求項４】
前記トイレボード（２）の前端の下面に第１リミットリング（２３）が設置され、前記フロントサポート（１１）の先端に第２リミットリング（１１１）が設置され、
前記第１リミットリング（２３）と前記第２リミットリング（１１１）が互いに嵌め込み、
前記トイレボード（２）の前端と前記フロントサポート（１１）の先端との回転可能な接続を実現することを特徴とする、請求項１に記載の調整可能なポータブルトイレ。
【請求項５】
前記トイレボード（２）と前記ヒップサポートボード（３）の接続部に一定の弧があることを特徴とする、請求項１に記載の調整可能なポータブルトイレ。
【請求項６】
前記トイレボード（２）に「前記トイレボード（２）の形状と一致するクッション」があることを特徴とする、請求項１に記載の調整可能なポータブルトイレ。
【請求項７】
前記フロントサポート（１１）と前記リアサポート（１２）との間に２つの支持板（４）が設置され、各支持板（４）の下に動力装置が接続されることを特徴とする、請求項１に記載の調整可能なポータブルトイレ。
【請求項８】
前記動力装置がシザージャッキであることを特徴とする、請求項７に記載の調整可能なポータブルトイレ。
【請求項９】
ポータブルトイレの外側にアームレスト（５）が設置されることを特徴とする、請求項１に記載の調整可能なポータブルトイレ。
【請求項１０】
２つの前記アームレスト（５）の間に第２クロスバー（５１）が設置され、第２クロスバー（５１）の下に第３クロスバー（５２）が設置され、第３クロスバー（５２）にフェンス（５３）が設置され、フェンス（５３）に折りたたみ式のシェルが設置され、シェルが開いた状態で２つの前記アームレスト（５）の間の空間を覆うことを特徴とする、請求項９に記載の調整可能なポータブルトイレ。
【考案の詳細な説明】
【技術分野】
【０００１】
本考案は、生活衛生用品分野、特に調整可能なポータブルトイレに関する。
【背景技術】
【０００２】
人々の生活水準の向上に伴い、元々の基本レベルに基づいて向上させる。適切な改善をすれば、誰でも受け入れやすい。誰もがよく使う便器とスツールを含む。
【０００３】
人の体型構造により、和風便器は、排泄の問題を迅速かつきれいに解決できる。既存の便器とスツールの使用は、快適さを向上させるだけであるが、和風便器の利便性から離れている。また、穴が大きくて狭いため、臀部、太ももとの接触面積が大きくならず、不快感を与えやすい。従って、ポータブルトイレが現れた。人は傾斜したスツール面に座るとき、洋風便器の快適さを感じるだけでなく、和風便器のスムーズさを配慮した。しかし、市販されているこれらの便器の構造は、太い人、およびしゃがみが不便な人（妊婦など）に適していない。
【０００４】
上記の問題を解決するために、通常、ヒップサポートボードの後ろにヒップサポートを追加し、次にポータブルトイレ全体の後ろに角度調整フレームを追加する。しかし、こんな角度調整フレームは、使用時に壁に寄りかかる必要があり、壁に寄りかかるときに安定していない。
【考案の概要】
【考案が解決しようとする課題】
【０００５】
上記の問題を考慮して、「上記問題を克服し、または少なくとも部分的に上記の問題を解決する調整可能なポータブルトイレ」を提供するために、この実用新案を提案した。
【課題を解決するための手段】
【０００６】
この実用新案の一態様により、調整可能なポータブルトイレ（サポート、トイレボード、ヒップサポートボードを含む）；トイレボードとヒップサポートボードは一体的に接続される。サポートには、フロントサポートとリアサポートが含まれる。トイレボードの前端は、回転可能にフロントサポートの先端に接続される。ヒップサポートボードの後ろに１つ以上のヒップサポートが設置される。リアサポートには、完全に同じ２つの支柱が含まれる。２つの支柱の間に、少なくとも第１クロスバーが設置される。第１クロスバーには、異なる長さの２つ以上のクロスバーサポートが設置される。クロスバーサポートは回転可能に第１クロスバーに接続される。ヒップサポートボードはリアサポートに押し付けられ、または上向き引張力の作用下で、リアサポートを離れた後、動作状態のクロスバーサポートに押し付けられる。動作状態のクロスバーサポートは、第１クロスバーに回転したクロスバーサポートである。
【０００７】
可能な実施形態では、ヒップサポートは、弧状のヒップサポート本体と補強リブを含み、そのうち、補強リブがヒップサポート本体とヒップサポートボードに接続する。
【０００８】
可能な実施形態では、トイレボードの前端の下面に第１リミットリングが設置され、フロントサポートの先端に第２リミットリングが設置され、第１リミットリングと第２リミットリングが互いに嵌め込み、トイレボードの前端とフロントサポートの先端との回転可能な接続を実現する。
【０００９】
可能な実施形態では、トイレボードとヒップサポートボードの接続部に一定の弧がある。
【００１０】
可能な実施形態では、トイレボードに「トイレボードの形状と一致するクッション」がある。
【００１１】
可能な実施形態では、フロントサポートとリアサポートとの間に２つの支持板が設置され、各支持板の下に動力装置が接続される。
【００１２】
可能な実施形態では、動力装置がシザージャッキである。
【００１３】
可能な実施形態では、ポータブルトイレの外側にアームレストが設置される。
【００１４】
可能な実施形態では、２つのアームレストの間に第２クロスバーが設置され、第２クロスバーの下に第３クロスバーが設置され、第３クロスバーにフェンス（５３）が設置され、フェンスに折りたたみ式のシェルが設置され、シェルが開いた状態で２つのアームレストの間の空間を覆う。
【００１５】
上記の説明は、この実用新案の技術的解決策の概要にすぎない。この実用新案の技術的手段をより明確に理解するために、明細書の内容に従って実施できる。この実用新案の上記およびその他の目的、特徴、利点をより明確で分かりやすくするために、この実用新案の特定の実施形態の例を説明する。
【考案の効果】
【００１６】
この実用新案は、ポータブルトイレ自体に角度調整装置を設置した。そのため、壁に寄りかかる必要がなく、壁に寄りかかるときの不安定さを避けた。
【図面の簡単な説明】
【００１７】
この実用新案の実施例の技術的解決策をより明確に説明するために、以下は、実施例の説明に使用される図面を簡単に紹介する。明らかに、以下の説明に使用される図面は、この実用新案のいくつかの実施例にすぎない。この分野の一般的な技術者は、創造的な労働なしで、これらの図面に基づいて、他の図面を入手することができる。
【図１】この実用新案の実施例によって提供される調整可能なポータブルトイレの概略構造図である。
【図２】別の視角から見た図１の概略図である。
【図３】第１クロスバー、第１クロスバーサポートと第２クロスバーサポートの位置の概略図である。
【図４】この実用新案の実施例によって提供されるヒップサポートの概略構造図である。
【図５】別の視角から見た図１の概略図である。
【図６】図５の部分拡大図である。
【図７】この実用新案の実施例によって提供される別の調整可能なポータブルトイレの概略構造図である。
【図８】この実用新案の実施例によって提供されるアームレストの概略構造図である。
【図９】別の視角から見た図８の概略構造図である。
【図１０】図１に示す調整可能なポータブルトイレ、および図８に示すアームレストの組み立て概略図である。
【図１１】この実用新案の実施例によって提供される別の調整可能なポータブルトイレの概略構造図である。
【図１２】別の状態での図１１の概略構造図である。
【符号の説明】
【００１８】
１−サポート、２−トイレボード、３−ヒップサポートボード、４−支持板、５−アームレスト、６−弧状バッフル、１１−フロントサポート、１２−リアサポート、１１１−第２リミットリング、１２１−第１クロスバー、１２１１−第１クロスバーサポート、１２１２−第２クロスバーサポート、２３−第１リミットリング、３１−ヒップサポート、３１１−ヒップサポート本体、３１２−補強リブ、５１−第２クロスバー。
【考案を実施するための形態】
【００１９】
本考案の目的、技術的解決手段及び利点をより明確にするために、以下、図面及び実施例を参照しながら、本考案についてさらに詳細に説明する。なお、本明細書に記載される具体的な実施例は、本考案を説明するためのものにすぎず、本考案を限定するためのものではない。
【００２０】
この実用新案の説明書実施例、特許請求の範囲、及び図面での用語「含む」と「有する」およびそれらの変形は、非排他的に含むことを意図する（例えば、一連のステップやユニットを含む）。
【００２１】
以下は、図面と実施例に基づいて、この実用新案の技術的解決策をさらに詳細に説明する。
【００２２】
図１−４に示すように、この実用新案の実施例は、調整可能なポータブルトイレ（サポート１、トイレボード２、ヒップサポートボード３を含む）を提供する。
【００２３】
トイレボード２とヒップサポートボード３は一体的に接続される。サポート１には、フロントサポート１１とリアサポート１２が含まれる。トイレボード２の前端は、回転可能にフロントサポート１１の先端に接続される。ヒップサポートボード３の後ろに１つ以上のヒップサポート３１が設置される。リアサポート１２には、完全に同じ２つの支柱が含まれる。２つの支柱の間に、少なくとも第１クロスバー１２１が設置される。第１クロスバー１２１には、異なる長さの２つ以上のクロスバーサポート（第１クロスバーサポート１２１１と第２クロスバーサポート１２１２を含む）が設置される。第１クロスバーサポート１２１１と第２クロスバーサポート１２１２は回転可能に第１クロスバー１２１に接続される。
【００２４】
通常の状態では、ヒップサポートボード３はリアサポート１２に押し付けられる。一般ユーザーがポータブルトイレを使用するとき、傾斜したトイレボード２は太ももに接触できる。また、傾斜した角度は、スムーズな排泄を維持し、腸管を保護するのに役立つ。トイレボード２の後ろにあるヒップサポートボード３は、体の下降を抑えただけでなく、快適な座り心地をもたらす。このとき、トイレボード２と水平面との間の夾角の好ましい範囲は２５−３０度である。
【００２５】
肥満者や妊婦など、お腹が大きいユーザーは使用するとき、体の都合で、しゃがんだり、大きく傾いたりするのに不便である。このとき、ヒップサポートボード３を持ち上げることができる。ヒップサポートボード３がリアサポート１２を離れ、次に１つのクロスバーサポートを回転させ、第１クロスバー１２１の上部に回転させてヒップサポート３１を支持し、ヒップサポートボード３を支持する効果を達成し、ヒップサポート３１を介して、適切な高さのクロスバーサポートに押し付ける。元々傾斜していたトイレボード２を傾斜の少ない位置または平らな位置に調整できる。複数のクロスバーサポートは、様々な調整角度を提供し、様々な要求のユーザーに適している。
【００２６】
上記クロスバーサポートの数と形式は、実際の設計要件に応じて調整できる。
一例では、ヒップサポートボード３とトイレボード２との間の夾角範囲は８５−９５度である。
【００２７】
一例では、ヒップサポート３１は、弧状のヒップサポート本体３１１と補強リブ３１２を含み、そのうち、補強リブ３１２はヒップサポート本体３１１とヒップサポートボード３に接続され、補強リブ３１２はヒップサポート本体３１１とヒップサポートボード３の接続強度を強化できる。
【００２８】
一例では、図５−６に示すように、トイレボード２の前端の下面に第１リミットリング２３が設置され、フロントサポート１１の先端に第２リミットリング１１１が設置され、第１リミットリング２３と第２リミットリング１１１が互いに嵌め込み、トイレボード２の前端とフロントサポート１１の先端との回転可能な接続を実現する。そのうち、第１リミットリング２３は円形であり、第２リミットリング１１１は方形である。ここで２つのリミットリングによる接続は、回転可能な接続の好ましい方式にすぎない。回転可能な接続を実現できる他の方式（ベアリング回転接続など）を本出願の保護範囲に含める必要があることを理解すべきである。本出願は、トイレボード２とフロントサポート１１の回転接続方式をさらに制限しない。
【００２９】
一例では、トイレボード２とヒップサポートボード３の接続部に一定の弧がある。
【００３０】
一例では、トイレボード２には、トイレボードの形状と一致するクッションがある。さらに、クッションの材料は、厚手のトイレットペーパー（３〜５層で固定される）または綿布クッションであり、厚さ２−３ｍｍで、取り外して洗浄し、複数回使用することができる。クッションは、その他の柔らかい素材で代替できる。本出願は、クッションの材料と厚さをさらに制限しない。
【００３１】
一例では、図７に示すように、フロントサポート１１とリアサポート１２との間に、２つの支持板４が設置される。２つの支持板はポータブルトイレ全体を支持する。各支持板４の下には、動力装置（図には示されていない）が接続される。例えば、シザージャッキを使用する場合、シザージャッキの高さを調整することで、ポータブルトイレ全体の高さを調整できる。ここでのジャッキは一例にすぎない。その他の動力装置を介して、ポータブルトイレ全体の高さを調整できる。本出願は、動力装置の形式をさらに制限しない。高さの調整は、油圧、シリンダー、電動などによっても制御できる。
【００３２】
一例では、図８−１０に示すように、ポータブルトイレの外側には、アームレスト５が設置されている。図８に示されるアームレスト５は、長方体の形式である。実際の必要に応じて、アームレストの形式を適応的に調整することができる。人はポータブルトイレを使用した後、アームレストに寄りかかって立ち上がることができる。こんなアームレストは、高齢者、虚弱者、患者、身体障害者のユーザーにとって特に重要である。
【００３３】
一例では、図８−１０の例では、２つのアームレスト５の間に第２クロスバー５１が設置され、第２クロスバー５１の下に第３クロスバー５２が設置される。第３クロスバー５２には、外側と上部に突き出たフェンス５３がある。フェンス５３に折りたたみ式のシェル（図には示されていない）を追加できる。シェルの一方の端をフェンス５３に固定し、シェルを広げ、シェルのもう一方の端をアームレスト５の前面の下端に引っ張ることができ、シェルを折りたたんで２つのアームレスト５の間の空間を覆うことができる。２つのアームレストを介して、ポータブルトイレ全体の実装効果を実現できる。シェルとアームレストの材質は、プラスチックやアルミニウムプラスチックなどの耐食性材料を使用できる。ポータブルトイレを使用するとき、シェルのもう一方の端を持ち上げ、第２クロスバー５１とフェンス５３との間の空間に固定する。例として、シェルの持ち上げを容易にするために、シェルにハンドルを追加することができる。
【００３４】
図１１に示すように、図１に基づいて、トイレボード２の前端に弧状バッフル６が設置され、弧状バッフル６がトイレボード２の前端の開口部に接続される。弧状バッフル６は、尿の飛散の問題を解決し、その飛散面積を制御し、またその流れの方向を制御することができる。さらに、図１１に示すように、弧状バッフル６の一方の端は回転可能にトイレボード２に接続され、もう一方の端は取り外し可能にトイレボード２に接続される。通常使用するとき、弧状バッフル６の両端ともトイレボード２に接続される。男性ユーザーが立って使用するとき、弧状バッフル６の一方の端を開いて、横に回転させて、図１２でのＡエリアを使用する。なお、弧状バッフル６とトイレボード２との接続関係および位置関係を簡単に説明するために、弧状バッフル６とトイレボード２の接続方式（回転可能な接続および取り外し可能な接続を含む）は詳しく紹介されず、制限されない。従来のボルト接続、ヒンジ接続、ベアリング接続などは、ニーズを満たすことができる。
【００３５】
以上の特定の実施形態は、この実用新案の目的、技術的解決策および有益な効果をさらに詳細に説明した。以上はこの実用新案の特定の実施形態にすぎず、この実用新案の保護範囲を制限することを意図したものではない。この実用新案の精神と原則の範囲内で行われた変更、同等の置き換え、改善などは、この実用新案の保護範囲に含まれる必要がある。
【図１】
0003231270.tif 000003
【図２】
0003231270.tif 000004
【図３】
0003231270.tif 000005
【図４】
0003231270.tif 000006
【図５】
0003231270.tif 000007
【図６】
0003231270.tif 000008
【図７】
0003231270.tif 000009
【図８】
0003231270.tif 000010
【図９】
0003231270.tif 000011
【図１０】
0003231270.tif 000012
【図１１】
0003231270.tif 000013
【図１２】
0003231270.tif 000014